(57)【要約】【課題】通電端子部に測定用端子を信頼性高く電気的に接続して、安全かつ確実に電圧測定を行うことを可能にする測定用アダプタを提供すること。【解決手段】電力量計の入力端子に差込プラグ２０１、２０２を接続する測定用アダプタ１０であって、接続端子台に取り付けるカバープレート１１と、入力端子に差込プラグを接続する接続部２０とを備えており、カバープレートには収納部１２が形成されて差込プラグの差込穴１２ａが開口しているとともに、その収納部内には、差込プラグ先端を突当接続する突当電極２３と、入力端子に先端部を導通接続する接続電極２４と、突当電極と接続電極の間を導通させるとともに差込プラグの差込深さに応じた付勢力で接続電極を入力端子に接触させる導通スプリング２５と、これら突当電極、接続電極、導通スプリングを収納する内装電極２６とが内装されている。【選択図】図３
2012057958.tif 000002
【特許請求の範囲】
【請求項１】
測定対象の外部に露出可能な通電端子部に測定用端子を電気的に接続する測定用アダプタであって、
前記通電端子部を覆うように前記測定対象に取り付けて絶縁性を確保するカバー部と、前記通電端子部に前記測定用端子を導通接触させて接続する接続部と、を備えており、
前記測定用端子が差込プラグであるのに対して、
前記カバー部は、前記接続部に導通接触させて接続する前記測定用端子の差込穴が開口しているとともに、
前記接続部は、前記通電端子部に先端部を導通接触させて接続する接続電極と、該接続電極を前記通電端子部に近接または離隔する方向に移動自在に収納する収納部と、該収納部内に収納されて前記カバー部の前記差込穴に差し込む前記測定用端子の先端に突き当たって当該測定用端子の差込深さに応じた付勢力で前記接続電極を前記通電端子部に導通接触させる方向に付勢するとともに該測定用端子および該接続電極を導通接続する付勢導通部と、を備えることを特徴とする測定用アダプタ。
【請求項２】
前記接続部の前記付勢導通部は、前記カバー部の前記差込穴に差し込む前記測定用端子の先端に突き当たって導通接続する突当電極と、前記測定用端子の差込深さに応じて前記収納部内を移動する前記突当電極および前記接続電極の間に介装されて該突当電極の前記測定用端子の差し込み深さによる移動量に応じた付勢力で前記接続電極を前記通電端子部に導通接触させる方向に付勢する付勢部と、により構成されていることを特徴とする請求項１に記載の測定用アダプタ。
【請求項３】
前記接続部の前記収納部は、前記カバー部を前記通電端子部に接近または離隔する方向に延長して形成した外装部と、該外装部内に収納されて前記接続電極、前記突当電極および前記付勢部を内装しつつ導通接触する内装部と、を備えており、
該内装部は、前記測定用端子の側面部が圧接して前記通電端子部から離隔する方向への移動を制限して導通接続する状態を保持する保持部と、前記突当電極および前記付勢部を介して前記通電端子部に接近する方向に付勢される前記接続電極の離脱を制限する制限部と、を有することを特徴とする請求項２に記載の測定用アダプタ。
【請求項４】
前記接続部の前記収納部は、前記カバー部の外面側に形成されていることを特徴とする請求項１から３のいずれかに記載の測定用アダプタ。
【請求項５】
商用電源から供給される電力量を計測する電力量計であって、
商用電源側からの入力電線を接続する入力端子と電力消費側への出力電線を接続する出力端子とが配列されている接続端子台は、
上記請求項１から４のいずれかに記載の測定用アダプタが取り付けられていることを特徴とする電力量計。
【発明の詳細な説明】
【技術分野】
【０００１】
本発明は、測定用アダプタに関し、詳しくは、外部に露出する通電端子部に測定用端子を安全に接続して電圧等の測定を行い得るようにするものに関する。
【背景技術】
【０００２】
各種機器の通電端子部における電圧等を測定（検電）する場合には、その通電端子部に導通する導通端子を予め準備して、その導通端子にワニ口クリップ（測定用端子）を接続して測定器などによる測定を行うことが考えられる。
【０００３】
その一方で、例えば、各家庭の負荷装置に電力供給する電源線と、商用電源側からの電源線と、の間に供給電力を計量して課金するために介装する電力量計の場合には、その電源線を入力側と出力側のそれぞれに接続する端子（通電端子部）が配列されている接続端子台が準備されているだけであり、その接続端子に直接ワニ口クリップを接続して商用電源からの供給電力の電圧を測定することが行われている。
【０００４】
このように、電力量計における接続端子台は、不用意に接続端子に触れてしまわないように、絶縁カバーが覆うように取り付けられているだけであり、その絶縁カバーには、測定用端子を導通接触させる導通端子が準備されているわけではなく、絶縁カバーを外して接続端子を直接ワニ口クリップで挟んで導通接続するのでは不安定であることから、各種工夫が提案されている。
【０００５】
例えば、特許文献１には、絶縁カバーと同様な板部材の接続端子に対応する位置に、表裏を貫通してその接続端子に導通接続させる導通端子を配設する測定用アダプタが記載されており、この測定用アダプタでは、その導通端子を円筒形状に形成することにより、内部側開口内に接続端子のボルトヘッドを収納して導通接続することを可能にするのと同時に、外部側ではワニ口クリップの一方の端子部を円筒内に差し込む状態にして導通接続させることができるようになっている。
【０００６】
特許文献２には、箱形状の測定用アダプタが記載されており、この測定用アダプタでは、接続端子にスプリングの弾性力で圧接する接触ピンと、その接触ピンに導通する状態で固設されている導通ピンと、がそのハウジング内に設けられることにより、その箱形状の外面に形成されている開口からワニ口クリップの先端を差し込んで導通ピンを挟むことにより導通接続することができるようになっている。
【０００７】
特許文献３には、棚形状の測定用アダプタが記載されており、この測定用アダプタでは、接続端子に圧接する接触ピンと、その接触ピンに導通する状態で棚板となる形態で固設されている導通部材と、が設けられることにより、その導通部材をワニ口クリップで挟んで導通接続するとともに、そのワニ口クリップを蓋部材で押さえるように蓋をして絶縁性を確保することができるようになっている。
【先行技術文献】
【特許文献】
【０００８】
【特許文献１】特開２００９−１７６５０７号公報
【特許文献２】特開２００８−１８０６８０号公報
【特許文献３】特開２００６−３００８７７号公報
【発明の概要】
【発明が解決しようとする課題】
【０００９】
しかしながら、この特許文献１に記載の測定用アダプタにあっては、接続端子に導通して充電部となっている円筒形状の導通端子が表面に露出する状態であることから、測定作業時に感電や短絡事故を起こしてしまう可能性がある。
【００１０】
特許文献２に記載の測定用アダプタにあっては、内部に接触ピンと導通ピンを設けるような複雑な構造であることから高価になってしまうとともに、ピン形状の導通ピンをワニ口クリップで挟むことで導通接続することから、その導通接続が不安定になって抜けてしまう可能性がある。
【００１１】
特許文献３に記載の測定用アダプタにあっては、ワニ口クリップを快適に接続端子に導通接続することができるが、特許文献１、２に記載のものと共に、差込プラグを差し込む形態でその接続端子に導通接続することはできない。
【００１２】
そこで、本発明は、外部に露出する通電端子部に差込プラグを測定用端子として信頼性高く電気的に接続して、安全かつ確実に電圧測定などを行うことを可能にする測定用アダプタを提供することを目的とする。
【課題を解決するための手段】
【００１３】
上記課題を解決する測定用アダプタの発明は、測定対象の外部に露出可能な通電端子部に測定用端子を電気的に接続する測定用アダプタであって、前記通電端子部を覆うように前記測定対象に取り付けて絶縁性を確保するカバー部と、前記通電端子部に前記測定用端子を導通接触させて接続する接続部と、を備えており、前記測定用端子が差込プラグであるのに対して、前記カバー部は、前記接続部に導通接触させて接続する前記測定用端子の差込穴が開口しているとともに、前記接続部は、前記通電端子部に先端部を導通接触させて接続する接続電極と、該接続電極を前記通電端子部に近接または離隔する方向に移動自在に収納する収納部と、該収納部内に収納されて前記カバー部の前記差込穴に差し込む前記測定用端子の先端に突き当たって当該測定用端子の差込深さに応じた付勢力で前記接続電極を前記通電端子部に導通接触させる方向に付勢するとともに該測定用端子および該接続電極を導通接続する付勢導通部と、を備えることを特徴とするものである。
【００１４】
この発明では、測定対象の通電端子部を覆うようにカバー部を取り付けることにより、その通電端子部の絶縁性を確保する一方、差込穴内に測定用端子の差込プラグが差し込まれると、接続部の収納部内で移動自在の接続電極が付勢導通部によりその差込プラグの差込深さに応じた付勢力で付勢されて測定対象の通電端子部に先端部を導通接触して接続される。
【発明の効果】
【００１５】
このように本発明によれば、測定対象の通電端子部を覆うように取り付けるカバー部の差込穴に差込プラグを差し込むだけで、カバー部により測定対象の通電端子部の絶縁性を確保しつつその差込深さに応じた付勢力で接続電極を通電端子部に圧接させて信頼性高く導通接続することができ、安全かつ確実に電圧測定などを行うことができる。
【図面の簡単な説明】
【００１６】
【図１】本発明に係る測定用アダプタの第１実施形態を示す図であり、その外観を示す斜視図である。
【図２】その測定用アダプタを取り付ける電力量計の一例を示す平面図である。
【図３】その測定用アダプタの要部構成を示す一部縦断面図である。
【図４】本発明に係る測定用アダプタの第２実施形態を示す図であり、その要部構成を示す一部縦断面図である。
【発明を実施するための形態】
【００１７】
本発明の実施形態としては、上記の課題解決手段のように、測定対象の外部に露出可能な通電端子部に測定用端子を電気的に接続する測定用アダプタであって、前記通電端子部を覆うように前記測定対象に取り付けて絶縁性を確保するカバー部と、前記通電端子部に前記測定用端子を導通接触させて接続する接続部と、を備えており、前記測定用端子が差込プラグであるのに対して、前記カバー部は、前記接続部に導通接触させて接続する前記測定用端子の差込穴が開口しているとともに、前記接続部は、前記通電端子部に先端部を導通接触させて接続する接続電極と、該接続電極を前記通電端子部に近接または離隔する方向に移動自在に収納する収納部と、該収納部内に収納されて前記カバー部の前記差込穴に差し込む前記測定用端子の先端に突き当たって当該測定用端子の差込深さに応じた付勢力で前記接続電極を前記通電端子部に導通接触させる方向に付勢するとともに該測定用端子および該接続電極を導通接続する付勢導通部と、を備えることを基本構成とするのに加えて、次の構成を備えてもよい。
【００１８】
第１の形態としては、前記接続部の前記付勢導通部は、前記カバー部の前記差込穴に差し込む前記測定用端子の先端に突き当たって導通接続する突当電極と、前記測定用端子の差込深さに応じて前記収納部内を移動する前記突当電極および前記接続電極の間に介装されて該突当電極の前記測定用端子の差し込み深さによる移動量に応じた付勢力で前記接続電極を前記通電端子部に導通接触させる方向に付勢する付勢部と、により構成されていてもよい。
【００１９】
この形態では、差込穴内に差し込まれる測定用端子の差込プラグの先端には、突当電極が突き当たって、その差込深さに応じた付勢力で付勢部が測定対象の通電端子部に接続電極の先端部が導通接触するように付勢して接続させることができる。したがって、測定用端子の差込プラグの先端が確実に突当電極に突き当たるように簡易な構造で実現することができる。
【００２０】
第２の形態としては、前記接続部の前記収納部は、前記カバー部を前記通電端子部に接近または離隔する方向に延長して形成した外装部と、該外装部内に収納されて前記接続電極、前記突当電極および前記付勢部を内装しつつ導通接触する内装部と、を備えており、該内装部は、前記測定用端子の側面部が圧接して前記通電端子部から離隔する方向への移動を制限して導通接続する状態を保持する保持部と、前記突当電極および前記付勢部を介して前記通電端子部に接近する方向に付勢される前記接続電極の離脱を制限する制限部と、を有していてもよい。
【００２１】
この形態では、通電端子部のカバー部の外面（表面）または内面に形成する収納部の外装部内の内装部の内部に、突当電極、付勢部および接続電極が内装されて導通接触されているとともに、差込プラグと通電端子部を導通接続させる際には、その内装部の保持部が差し込まれた差込プラグの側面部に圧接して付勢部の付勢力によりその差込プラグが抜ける方向に移動するのを制限する一方、測定対象からカバー部が外されている際には、付勢部の付勢力により内装部から飛び出す方向に付勢されて接続電極が脱落してしまうことを制限部が制限する。したがって、使用時には確実に導通接続を確保することができるとともに、未使用時にはそのまま使用することができるように待機することができる。
【００２２】
第３の形態としては、前記接続部の前記収納部は、前記カバー部の外面側に形成されていてもよい。
【００２３】
この形態では、接続部は、カバー部の外面（表面）に形成する収納部内に収納する形態にして、カバー部の外面に突出させて接続箇所（差込穴）を分かりやすくすることができる。
【００２４】
第４の形態としては、商用電源から供給される電力量を計測する電力量計であって、商用電源側からの入力電線を接続する入力端子と電力消費側への出力電線を接続する出力端子とが配列されている接続端子台は、上記形態の測定用アダプタが取り付けられていればよい。
【００２５】
この形態では、電力量計の接続端子台に測定用アダプタのカバー部を取り付けて、入力端子や出力端子に測定用端子の差込プラグを簡単かつ確実に導通接続して電圧などを測定することができる。
【００２６】
第５の形態としては、前記カバー部には、前記電力量計の前記接続端子台における前記入力端子または前記出力端子のいずれか一方のみに対応する位置に前記接続部を配設してもよい。
【００２７】
この形態では、より簡素な形態にして電源線の電圧測定を行うことができる。
【００２８】
以下、図面を参照して、本発明の実施形態について詳細に説明する。図１〜図３は本発明に係る測定用アダプタの第１実施形態を示す図である。
【００２９】
図１において、測定用アダプタ１０は、図２に示す電力量計（測定対象）１００に接続されている電線１２０に商用電源からの適正な電圧が供給されているか否かを確認する際に、その電力量計１００に取り付けて使用するものであり、絶縁カバー１０３を外して露出させた接続端子台１０２に取り付けることができるように設計されている。なお、電力量計１００は、アナログ形式でも、また、コンパクトなデジタル形式のいずれでもよいことはいうまでもない。
【００３０】
ここで、電力量計１００は、図２に示すように、消費された供給電力を積算（計測）する本体部１０１と、商用電源と各戸の負荷装置との間の電線１２０の途中に本体部１０１が介在するようにその電線１２０を接続する接続端子台１０２と、が配置されており、本体部１０１が接続端子台１０２を介して商用電源から各家庭の家電品（負荷装置）に供給して使用される使用電力を積算（計測）する。この電力量計１００は、不用意に触れて感電・短絡事故が起こらないように接続端子台１０２を絶縁カバー１０３が覆っており、その絶縁カバー１０３は、取付ネジ１０４をネジ穴１０５内に差し込んで緊締固定することにより取り付けることができる一方、この絶縁カバー１０３を外すことにより、商用電源からの入力電線（電源線）１２１、１２２を本体部１０１に接続する入力端子（通電端子部）１１１、１１２と、負荷装置側のブレーカーへの出力電線１２５、１２６を本体部１０１に接続する出力端子１１５、１１６と、を露出させることができる。この接続端子台１０２には、端子１１１、１１２、１１５、１１６毎の締付ネジ１１９を緩めて、電線１２０の先端側の被覆を剥いでそれぞれ差し込んだ後に、その締付ネジ１１９を締め付けることにより、端子１１１、１１２、１１５、１１６と電線１２０とを電気的に接続して、入力電線１２１、１２２と、出力電線１２５、１２６との間を導通させる。このため、締付ネジ１１９は、端子１１１、１１２、１１５、１１６に導通して同電位になっている。
【００３１】
そして、電力量計１００は、本体部１０１の内部では、入力電線１２１と出力電線１２５、入力電線１２２と出力電線１２６が商用電源からの電力をそのまま供給するように導通回路で繋がれている。このことから、商用電源からの供給電力の電圧測定を行う場合には、電圧計を測定用端子のワニ口クリップで入力端子１１１、１１２を挟んで接続状態にして行うのが一般的であるが、測定用アダプタ１０は、電圧計２００からの測定用端子としての差込プラグ２０１、２０２を接続可能にして安全かつ容易で確実な信頼性の高い電圧測定を実現する。なお、本実施形態では、単相（２相）の電力量計１００を一例に説明するが、３相の電力量計用に設計することにより適用可能であることはいうまでもない。
【００３２】
測定用アダプタ１０は、絶縁カバー１０３に替えて、絶縁性を有する樹脂材料（例えば、ポリカーボネイト）からなるカバープレート（カバー部）１１を、入力端子１１１、１１２や出力端子１１５、１１６を覆うように接続端子台１０２に取り付けて使用するように設計されており、図３に示すように、入力端子１１１、１１２（締付ネジ１１９）のそれぞれに対応する位置に、差込プラグ２０１、２０２を導通接続させる接続部２０が配設されている。ここで、接続部２０は、入力端子１１１、１１２に対応する箇所に配置されて、出力端子１１５、１１６に対応する箇所には設けられていないが、上述したように、両端子は導通していることから一方の端子に電圧計２００の差込プラグ２０１、２０２を導通接続させるように配置すればよい。
【００３３】
このように、測定用アダプタ１０は、接続部２０が入力端子１１１、１１２に対応する位置のみに形成されることにより、導通接触させる差込プラグ２０１、２０２の差込位置が分かりやすくなっている。
【００３４】
カバープレート１１は、絶縁カバー１０３と略同様に形成されており、その絶縁カバー１０３と略同一の幅と長さを有して、取付ネジ１０４を接続端子台１０２のネジ穴１０５内に差し込んで緊締固定することにより、その接続端子台１０２内が外部に露出しないように覆って感電・短絡事故を防止する。なお、このカバープレート１１は、各メーカの電力量計の絶縁カバーが本体部の外形に応じた形状に形成されている程度であるとともに、取付ネジ１０４の位置が各メーカの電力量計に取付可能に設定されていることから、共通使用することができる。
【００３５】
接続部２０は、カバープレート１１の入力端子１１１、１１２のそれぞれに対応する位置の表面（外面）側に突出する形態で設置されており、有底の円筒形状で突出するようにカバープレーと１１の絶縁材料を延長させることにより収納部（外装部）１２が一体形成されている。この収納部１２内には、その入力端子１１１、１１２に差込プラグ２０１、２０２を導通接触させて接続状態を保持する各種構成部材として、突当電極（付勢導通部）２３、接続電極２４、導通スプリング（付勢導通部、付勢部）２５および内装電極（内装部）２６が内蔵（内装）されている。
【００３６】
このように、測定用アダプタ１０は、収納部１２がカバープレート１１の表面から突出する形状に形成されているので、接続端子台１０２側に空間を必要とすることなく、コンパクトに取り付けることができる。
【００３７】
そして、まず、収納部１２は、差込プラグ２０１、２０２の一方を差込可能に開口する差込穴１２ａが表面側となる円筒形状底部１２ｂに形成されている。
【００３８】
突当電極２３は、接触抵抗の少ない金属などの導電性材料からなる短尺な円柱形状に形成されて、収納部１２の底部１２ｂ側に収納されており、差込穴１２ａに差し込む差込プラグ２０１、２０２の先端部２１０ａ、２０２ａに突き当たって導通接続するようになっている。
【００３９】
接続電極２４は、接触抵抗の少ない金属などの導電性材料からなる棒状の円柱形状に形成されており、先端部２４ａが球形に形成される一方、後端部２４ｂがフランジ形状に形成されて、その先端部２４ａを入力端子１１１、１１２に導通接触させて接続されるようになっている。
【００４０】
導通スプリング２５は、これら突当電極２３と接続電極２４の間に介装されて双方を導通接続する状態を維持するとともに、差込プラグ２０１、２０２の差込に伴って降下（移動）する突当電極２３により縮小されて弾性変形されることによりその差込深さ（移動量）に応じた付勢力（弾性力）で接続電極２４を入力端子１１１、１１２に向かって付勢して導通接触させるようになっている。
【００４１】
内装電極２６は、接触抵抗の少ない金属などの導電性材料からなる円筒形状に形成されており、収納部１２内に接着剤と共に嵌入して固定するようにその内径よりも外径を大きめに形成されている。
【００４２】
この内装電極２６は、収納部１２の底部１２ｂ側上部に、内方に縮径してその差込穴１２ａと同径の差込穴２６ａが開口する天井部（保持部）２６ｂが形成されており、この天井部２６ｂは、収納部１２の差込穴１２ａを介してさらに差込穴２６ａ内に差し込まれた差込プラグ２０１、２０２の胴体部（側面部）２０１ｂ、２０２ｂにその内面を圧接させて、その差込プラグ２０１、２０２が離脱する方向に移動することを制限するようになっている。なお、この差込プラグ２０１、２０２は、外面側に導電性を有する板材料を折り返すことにより胴体部２０１ｂ、２０２ｂが外方に膨らんで弾性力を生じる形状に形成されることによって、内装電極２６の天井部２６ｂの差込穴２６ａには、胴体部２０１ｂ、２０２ｂが縮小されつつ差し込まれるため、その差込穴２６ａの内面に圧接して導通接触する状態を保持することができる。
【００４３】
また、内装電極２６は、収納部１２の開口側下部にも、内方に縮径して接続電極２４の円柱形状を上下動自在に貫通させる貫通穴２６ｃが開口する床部（制限部）２６ｄが形成されており、その接続電極２４のフランジ形状の後端部２４ｂを床部２６ｄの貫通穴２６ｃの縁に衝止させて抜けてしまうことを制限するようになっている。
【００４４】
これにより、測定用アダプタ１０の接続部２０は、収納部１２内で突当電極２３、接続電極２４、導通スプリング２５および内装電極（内装部）２６のそれぞれが接触導通することにより、電力量計１００の接続端子台１０２にカバープレート１１を取り付けると、そのカバープレート１１の下面から接続端子台１０２内に突出する接続電極２４の先端部２４ａが入力端子１１１、１１２に当接されて導通スプリング２５の付勢力に抗して上方に後退しつつ導通接触する状態を維持する。そして、その接続部２０は、収納部１２の差込穴１２ａに差込プラグ２０１、２０２が差し込まれると、突当電極２３が導通スプリング２５の付勢力に抗して降下されて導通接触する状態を維持することができ、電圧計２００による電圧測定を信頼性高く行うことを可能にする。一方、測定用アダプタ１０は、電力量計１００の接続端子台１０２から外した状態では、突当電極２３や接続電極２４が導通スプリング２５の付勢力で内装電極２６の天井部２６ｂや床部２６ｄに突き当たった状態に衝止されて、再度、そのまま電力量計１００の接続端子台１０２に取り付けるだけで使用できる状態で待機することができる。
【００４５】
このように本実施形態においては、カバープレート１１表面の収納部１２の差込穴１２ａに差込プラグ２０１、２０２を差し込むだけで、電力量計１００の接続端子台１０２の絶縁性を確保しつつ、内装電極２６内の突当電極２３、接続電極２４および導通スプリング２５の簡素な構造により入力端子１１１、１１２に確実に導通接触させて信頼性高く接続状態を維持することができ、安全かつ確実に電圧計２００による電圧測定などを行うことができる。
【００４６】
次に、図４は本発明に係る測定用アダプタの第２実施形態を示す図である。ここで、本実施形態は、上述実施形態と略同様に構成されていることから、同様な構成には同一の符号を付して特徴部分を説明する。
【００４７】
図４において、測定用アダプタ１０の接続部２０は、上述実施形態における内装電極２６を省略するとともに、その内装電極２６と同様な形状をカバープレート１１の収納部１２内に形成することにより、差込プラグ２０１、２０２の先端部２０１ａ、２０２ａを突当電極２３に接触させて導通スプリング２５および接続電極２４を介して入力端子１１１、１１２との導通接続を確保するようになっている。なお、内装電極２６の床部２６ｄに対応する箇所は、蓋部材３６として接着剤などにより閉止することにより形成するようにすればよい。
【００４８】
このように本実施形態においては、上述実施形態における内装電極２６を省略しても、同様に、カバープレート１１表面の収納部１２の差込穴１２ａに差込プラグ２０１、２０２を差し込むだけで、電力量計１００の接続端子台１０２の絶縁性を確保しつつ、収納部１２内の突当電極２３、接続電極２４および導通スプリング２５の簡素な構造により入力端子１１１、１１２に確実に導通接触させて信頼性高く接続状態を維持することができ、安全かつ確実に電圧計２００による電圧測定などを行うことができる。ただし、上述の第１実施形態では、これらの導通接触に加えて、内装電極２６が大きな接触面積で導通を確保することができるので、その構造を採用する方が好適である。
【００４９】
また、上述実施形態では、カバープレート１１表面側に収納部１２を形成しているが、これに限らず、例えば、電力量計１００の接続端子台１０２側のスペースが十分にある場合には、カバープレート１１下面側に収納部１２を形成して、表面側の突出形状をなくしてシンプルな外観にしてもよい。
【００５０】
また、上述実施形態では、収納部１２内に突当電極２３を内装させて差込プラグ２０１、２０２の先端部２０１ａ、２０２ａを突当接触させて導通接続させているが、これに限らず、その突当電極２３を省略するとともに、導通スプリング２５の端部を閉じる形状に形成するなどして、差込プラグ２０１、２０２の先端部２０１ａ、２０２ａを直接接触させて導通接続させるようにしてもよい。
【産業上の利用可能性】
【００５１】
これまで本発明の一実施形態について説明したが、本発明は上述の実施形態に限定されず、その技術的思想の範囲内において種々異なる形態にて実施されてよいことは言うまでもない。例えば、測定用アダプタは、測定時に取り付けて使用するだけでなく、当初より取り付けた状態にして、絶縁カバーとして利用しても良い。
【符号の説明】
【００５２】
１０……測定用アダプタ      １１……カバープレート      １２……収納部      １２ａ……差込穴      ２０……接続部      ２３……突当電極      ２４……接続電極      ２５……導通スプリング      ２６……内装電極      ２６ａ……差込穴      ２６ｂ……天井部      ２６ｃ……貫通穴      ２６ｄ……床部      １００……電力量計      １０１……本体部      １０２……接続端子台      １１１、１１２……入力端子      １１５、１１６……出力端子      １１９……締付ネジ      １２０……電線      １２１、１２２……入力電線      １２５、１２６……出力電線      ２００……電圧計      ２０１、２０２……差込プラグ      ２０１ａ……先端部      ２０１ｂ……胴体部
【図１】
2012057958.tif 000003
【図２】
2012057958.tif 000004
【図３】
2012057958.tif 000005
【図４】
2012057958.tif 000006